(57)【要約】【課題】  鉄塔上などでの高所作業のために工具類収納容器の上げ下ろしを行う際に、これが鉄塔のコロビにおける構成材に引っかからないように、コロビから離隔した位置で昇降索により円滑に上げ下ろし可能とする簡易ブーム装置を提供する。【解決手段】  工具類収納容器昇降用の機械器具を吊り下げるための吊り具を一端部寄りに備えたアーム材と、該アーム材を鉄塔の構成材に着脱可能に固定するための固定具とからなり、前記アーム材は外方に向けて伸縮自在とされたことを特徴とする簡易ブーム装置。アーム材は、形鋼または鋼管とされる。前記の吊り具は、前記鉄塔の最外側の構成材を通る仮想鉛直線上またはそれよりも外側に配置されるようにした。【選択図】  図1
2007145509.tif 000002
【特許請求の範囲】
【請求項１】
鉄塔に外方に向けて突出するように着脱自在に設置され、自由端寄りに吊り具を備えており、長手方向において前記鉄塔からの突出長さを調整可能なアーム材からなることを特徴とする簡易ブーム装置。
【請求項２】
前記アーム材は、長手方向に穿設された長穴を備え、当該長穴およびこれに挿通した固定具を介して前記鉄塔の構成材に摺動自在に固定される請求項１に記載の簡易ブーム装置。
【請求項３】
前記アーム材は、少なくとも２本のアーム材片で構成され、それぞれのアーム材片は長手方向に穿設された長孔をそれぞれ備え、当該長孔に挿通させた連結具を介して互いに摺動可能に連結される請求項２に記載の簡易ブーム装置。
【請求項４】
前記のアーム材またはアーム材片は、形鋼または鋼管である請求項１〜３のいずれか１項に記載の簡易ブーム装置。
【請求項５】
前記の吊り具は、前記鉄塔の最外側の構成材を通る仮想鉛直線上またはそれよりも外側に配置される請求項１〜４のいずれか１項に記載の簡易ブーム装置。
【発明の詳細な説明】
【技術分野】
【０００１】
本発明は、高所作業において、工具類、特に、長尺の工具を収納した工具類収納容器の上げ下ろし作業に用いられる軽量かつ操作の容易な簡易ブーム装置に関する。
【背景技術】
【０００２】
送電鉄塔などの高所において送電線、支持物、鉄塔構成材などの保守、点検、修理などの作業をする場合、使用する工具および資材などを搬送することが必要となる。図６は、送電鉄塔上への工具などの上げ下ろし状況を示している。この図において、送電鉄塔Ｔは、主柱材Ｍ、水平材Ｖおよび斜材Ｒから構成されており、高所作業者ＨＷが鉄塔上の作業場所に待機しており、当該作業場所近辺の構成材には滑車Ｋが吊り下げられ、これに巻装された昇降索Ｐが地上に向けて垂下している。地上作業者ＬＷ１は、この昇降索Ｐの一端に工具などを収納した容器（以下、「工具類収納容器」という。）Ｂを連結した上で、昇降索Ｐの他端を操作することにより工具類収納容器Ｂの上げ下ろしを行う。
【０００３】
しかし、送電鉄塔Ｔの下側には、図６に示すように、主柱材Ｍが上方から下方に向かって外側に広がっている、いわゆるコロビがある。このコロビの部分では、主柱材Ｍに両端が接合される水平材Ｖや斜材Ｒなどの構成材もまた上方から下方に向かうにつれ、鉄塔の外側に広がっている。このため、工具類収納容器Ｂを鉛直方向に上げ下ろしするのでは、容器Ｂ自体やその開口から突出した工具などがコロビにおける構成材に引っかかり、容器Ｂが傾き、その結果収納されていた工具などが落下し、重大事故が発生する危険性がある。
【０００４】
この危険を回避するために、工具類収納容器Ｂの下部に案内索Ｈを取り付け、容器Ｂを上げ下ろしする際に、工具類収納容器Ｂがコロビにおける構成材に引っかからないように、もう１人の作業者ＬＷ２が地上から案内索Ｈを操作し、鉄塔Ｔから離隔する方向に容器Ｂを引っ張って、工具類収納容器Ｂを作業場所に向かって斜めに上げ下ろしている。しかし、この案内索Ｈの操作にはある程度熟練と労力を要し、また長尺の工具や資材の一部が工具類収納容器Ｂの開口から張り出している場合には、地上からの案内索Ｈの操作のみによって上記の危険を完全に回避することは困難な場合が多い。
【発明の開示】
【発明が解決しようとする課題】
【０００５】
本発明は、上記事情に鑑み、鉄塔上などでの高所作業のために工具類収納容器の上げ下ろしを行う際の地上作業者の案内作操作の労力を軽減し、容易かつ円滑に工具類収納容器を上げ下ろしできる簡易ブーム装置を提供することを目的とする。
【課題を解決するための手段】
【０００６】
上記目的は、本発明によれば、鉄塔に外方に向けて突出するように着脱自在に設置され、自由端寄りに吊り具を備えており、長手方向において前記鉄塔からの突出長さを調整可能なアーム材からなることを特徴とする簡易ブーム装置によって達成される。
【発明の効果】
【０００７】
本発明の簡易ブーム装置は、アーム材の鉄塔外方への突出長さを調整可能としたので、その自由端寄りに設けた吊り具の位置およびこれに吊り下げられる滑車などに巻装される昇降索の位置をアーム材の長手方向に沿って調整でき、工具類収納容器を上げ降ろしする際に、それが鉄塔の構成材に引っかかり、傾いたり逆さになることがない。その結果、地上作業者の案内索操作の労力を軽減でき、また容器内の工具および資材などが容器外へ落下することによる事故発生の危険性を著しく低減することができる。また、アーム材の突出長さを調整可能としたので、本発明の装置を大小種々の鉄塔に適用できる。
【発明を実施するための最良の形態】
【０００８】
本発明の簡易ブーム装置は、鉄塔に外方に向けて突出するように着脱自在に設置され、自由端寄りに吊り具を備えたアーム材からなる。なお、本発明において、鉄塔とは、送電線の保守、点検および修理や碍子などの高所作業が行われる施設であり、その代表例として、例えば、送電鉄塔などを挙げることができる。
【０００９】
本発明の簡易ブーム装置におけるアーム材としては、それ自体の自重や工具類収納容器、当該容器吊り下げ用の機械器具および昇降索などの外部からこれに加えられる荷重に耐え得る強度を有するものであればよく、鋼材などを好適に使用できる。具体例としては、等辺山形鋼、不等辺山形鋼、Ｉ形鋼、Ｔ形鋼、（Ｈ形鋼）、みぞ形鋼、Ｚ形鋼、玉山形鋼、Ｃ形鋼などの形鋼や円形鋼管や角型鋼管などの鋼管が挙げられる。
【００１０】
アーム材は、1本のみを単独で用いてもよく、少なくとも2本のアーム材片をその長手方向に連結して用いてもよい。後者の場合、アーム材片は同種のものを使用するのが好ましく、それぞれのアーム材片は、その一部を重ねた状態でボルトやナットなどの公知の連結具を用いて連結される。
【００１１】
このアーム材の自由端（先端）寄りには、工具類収納容器昇降用の器具を取り付けられるように吊り具が設置される。このような吊り具は公知のものが使用できる。例えば、吊り具としては、各種フックなどのほか、Ｕボルト、シャックルなどの連結具が挙げられる。なお、本明細書では、用具「吊り具」に該吊り具を連結する連結具を含めた意味で使用する。
【００１２】
吊り具の設置位置は特に限定されない。また、その個数についても1個に限られず、複数個設置することができる。なお、上記工具類収納容器昇降用の器具としては、例えば、滑車、チェンブロックなどが挙げられる。このうち、滑車は、比較的軽量であり取り扱いが容易であることから、より好適に使用できる。
【００１３】
上記アーム材は、鉄塔において対向するか、または隣り合う２本の水平材や斜材などに掛け渡すようにして、または水平材の長手方向に平行にその一辺を当接させた状態で固定具を用いて固定することができる。前者の場合、固定具としては、アーム材の断面形状に応じて、例えば、フックボルト、チャンネルボルト、パイプボルトなどの特殊形状のボルトとナットとの組み合わせを好適に使用でき、またはロープなどを用いてアーム材を緊縛することもできる。また、後者の場合には、例えば、ボルト、ナットからなる公知の固定具や水平材およびアーム材の一辺を重ね合わせた状態で挟持して固定できる固定具などを用いることができる。アーム材は、通常、水平に固定されるが、水平方向から上方または下方に傾斜させて固定することもできる。
【００１４】
アーム材は、これをそのままの長さでその長手方向に移動させるか、またはアーム材自体の長さを可変とすることにより、鉄塔から外方に向けた突出長さを調整可能とすることができる。
【００１５】
前者の具体例としては、アーム材の長手方向に沿って長穴を穿設しておき、鉄塔構成材にアーム材を固定するための固定具を当該長穴に挿通させ、上記の長穴および固定具を介してアーム材を上記鉄塔構成材に摺動自在に固定する構成などが挙げられる。これにより、最大限当該長穴の長さ分だけアーム材をその長手方向に摺動させることができ、その結果、アーム材の鉄塔外方に向けた突出長さを調整できる。
【００１６】
また、例えば水平材などにアーム材を重ね合わせて固定する場合には、上記の通りこれらを重ね合わせた状態で密着させるように両側から挟むことができる固定具を使用し、該固定具の固定をわずかに緩めてアーム材を摺動させることで、その鉄塔からの突出長さを調整できる。
【００１７】
後者の具体例としては、アーム材を少なくとも２本のアーム材片の連結体とし、それぞれのアーム材片に同様に長穴を穿設しておき、それぞれの長穴が重なるようにアーム材を重ね合わせ、当該長穴に連結具を挿通させてこれらアーム材片を連結する構成が挙げられる。例えば、２本以上の同種の山形鋼を長手方向に連結したもの、２本以上の同種のサイズの異なる鋼管を入れ子状に連結したものなどである。このようにアーム材片に長穴を穿設することで、一方のアーム材片に対して他方を最大限長穴の長さ分だけ伸縮させることができ、それによってアーム材の鉄塔外方に向けた突出長さを調整できる。なお、これらの長穴の長手方向の全長は任意に設定できる。
【００１８】
本発明の簡易ブーム装置において、鉄塔外方に向けたアーム材の突出長さは、鉄塔の種類や作業位置の高さなどによって異なり一概に特定することはできないが、例えば０.５〜１m程度、好ましくは０．７〜１ｍ程度に設定できる。この突出長さは、前記の吊り具が、前記鉄塔（コロビ部）の最外側の構成材を通る仮想鉛直線上またはそれよりも外側に配置されるのが好ましい。このように突出長さを設定することで、上記吊り具に滑車などを吊り下げて工具類収納容器Ｂを挙げ降ろしする場合に、該容器Ｂがコロビ部の構成材に引っかかったり、容器Ｂが反転し、収納されている工具などが地上に落下するのを防止、円滑に当該容器Ｂの上げ下ろしを行うことができる。なお、滑車は１個のみ吊り下げて使用してもよく、複数個を用意し、うち１個を定滑車として、残りを動滑車などとして使用してもよい。後者の場合、使用する滑車の個数によって複数の吊り具をアーム材に設けることができる。
【００１９】
以下、本発明を図面に示された実施の形態により、さらに詳細に説明するが、本発明は図面に示された実施の形態に限定されるものではない。なお、以下では、用語「上、下、左、右」は、図面における上、下、向かって左、向かって右を意味するものとする。
【００２０】
図１は、本発明の簡易ブーム装置の実施形態の一例の鉄塔への取り付け状態を示す図である。この図において、（ａ）はその使用状態を示す斜視図、（ｂ）は側面図、（ｃ）は平面図である。また、この図では、鉄塔として、その一部、すなわち所定の同一高さに位置する４本の山形鋼（以下、アングルということもある）からなる水平材Ｖ，Ｖ，Ｖ，Ｖとこれら水平材のそれぞれの両端が接合された４本の上下方向に延びる４本の等辺山形鋼からなる主柱材Ｍ、Ｍ、Ｍ，Ｍの一部とを示している。４本の水平材Ｖ，Ｖ，・・は、上から見て矩形または長方形となるように配置され、主柱材Ｍ，Ｍ，・・が各頂点に位置している。
【００２１】
本実施形態では、簡易ブーム装置１は、長手方向に連結された２本のアーム材片１１，１２と、当該連結体を水平材Ｖ，Ｖに掛け渡した状態で固定する固定具１５，１６とから構成される。
【００２２】
アーム材片１１，１２は、いずれもアングルであり、それぞれは同等の長さとしてもよく、異なる長さとしてもよい。各アーム材片１１，１２には、互いに直交するフランジのうちの一方の長手方向に長穴１１１、１２１が穿設されている。この２本のアーム材片１１，１２は、それぞれ長手方向に一端を重ね合わせ、その重ね代部分の長孔１１１、１２１に挿通されたボルト１３１と、これに螺合するナット１３２とからなる２組の連結具１３、１３によって連結されている。
【００２３】
本発明の簡易ブーム装置１を水平材Ｖ，Ｖに固定する固定具は、いずれもフックボルト１５，１６である。各フックボルト１５，１６の一端のフック部分が水平材Ｖ，Ｖのフランジの下端縁に係止され、他端が各アーム材片１１、１２の長穴１１１，１２１に下から上に挿通されており、当該他端にナットを螺合することで各アーム材片１１，１２が水平材Ｖ，Ｖの上面に固定されている。各フックボルトを取り外すことで、本発明の装置１は着脱可能となっている。
【００２４】
各アーム材片１１、１２は、フックボルト１５、１６のナットを緩めることで、両者の長孔の長手方向における全長から連結具１３，１３の間の間隔を差し引いた長さだけ水平材Ｖ，Ｖの上を相互に摺動可能とされており、これによって、アーム材片１１、１２を連結した連結体（アーム材）の鉄塔から外方に向けた突出長さが所定の長さに調整される。
【００２５】
アーム材１２の一端部寄りには、貫通穴が設けられ、そこにＵボルトＵおよびシャックルＳＨが装着される。このＵボルトＵには、滑車などの工具類収納容器昇降用の器具が吊り下げられる。また、シャックルＳＨには、３個のカラビナＣ、Ｃ、Ｃが係合され、カラビナＣ、Ｃ、Ｃには牽引索Ｒ、Ｒ、Ｒの一端がそれぞれ連結されている。これら３本の牽引索Ｒ，Ｒ，Ｒは、その他端が水平方向両側および上方のそれぞれの方向にある鉄塔の構成材に係止され、それぞれの方向から本発明の簡易ブーム装置１を牽引しており、これによって当該装置１が確実に支持固定される。
【００２６】
図２は、本発明の簡易ブーム装置の別の実施形態の例の取り付け状態を示す斜視図である。この図では、上下に延びる主柱材Ｍと、これに一端がそれぞれ接合される２本の水平材Ｖ，Ｖとが鉄塔の一部を示している。この主柱材Ｍと水平材Ｖとは、いずれもアングルである。
【００２７】
図２に示す本実施形態では、簡易ブーム装置１は、上記水平材Ｖのうちの１本の水平方向のフランジ外表面（以下、上面という。）に当接するように戴置された１本のアーム材２０と、これを該水平材Ｖに固定する２組の固定具２１、２１とから構成される。アーム材２０としては、水平材Ｖと同様、アングルが用いられている。アーム材２０は、通常、工具類の荷重に耐えるだけの強度を有していればよいので、水平材Ｖよりも断面寸法（アングルのフランジ幅および厚さ）の小さいものを使用できる。その長さは、携帯性や鉄塔上の作業場所までの上げ降ろしに支障とならず、後述する所定の突出長さを確保できる程度の長さとすることができる。アーム材２０の先端には、これを支持する支持索Ｒを連結するためのＵボルトＵが上側に取り付けられ、滑車などの器具を吊り下げるためのＵボルトＵが下側に取り付けられている。なお、上側のＵボルトＵには１本の牽引索Ｒの一端が連結され、この牽引索Ｒによって鉄塔上方の構成材からアーム材２０が牽引されている。
【００２８】
アーム材２０の直交するフランジのうちの一方には、その長手方向に長穴２０１が設けられ、これにボルト２１２、２１２およびナット２１１、２１１からなる固定具２１，２１が挿通され、これらを介してアーム材２０は水平材Ｖの上面に固定される。ボルト２１２、２１２は、いずれも水平材Ｖに穿設された不図示のボルト穴に下方から上方に向けて挿通されたものである。本実施形態では、固定具２１、２１のナット２１１、２１１をわずかに緩めることで、アーム材２０を水平材Ｖの上面に沿ってその長手方向に摺動させることができ、アーム材２０を鉄塔外側に引き出しまたは反対方向に押し込むことで、その突出長さが所定の長さに調整される。
【００２９】
図３は、本発明の簡易ブーム装置のさらに別の実施形態の例の鉄塔への取り付け状態を示す図である。この図において、（ａ）は斜視図、（ｂ）は（ａ）におけるＡ−Ａ矢視図であり、図２と同様に、鉄塔の一部として、主柱材Ｍおよびこれに一端が接合された水平材Ｖ，Ｖが示され、これらの構成材はいずれもアングルである。
【００３０】
本実施形態では、簡易ブーム装置１は、１本の水平材Ｖ下側に重ね合わせられる所定の長さのアーム材２０と、これを水平材Ｖに固定する固定具３とからなる。
【００３１】
アーム材２０は、上記図２の実施形態の場合と同様に１本のアングルであり、一方のフランジには長手方向に長穴２０１が穿設され、他方のフランジの鉄塔外方に向く先端寄りには２個のＵボルトＵ、Ｕが取り付けられている。１本のアーム材２０において、長穴２０１とＵボルトＵが異なるフランジに設けられている点で、これらがともに一方のフランジに設けられている図２のアーム材２０とは異なっている。アーム材２０の長さは、上記図２に示す実施形態の場合と同様に決定できる。なお、一方のＵボルトＵには、図２に示す実施形態と同様、１本の牽引索Ｒの一端が連結され、この牽引索Ｒによって鉄塔上方の構成材からアーム材２０が牽引されている。
【００３２】
このアーム材２０は、その頂角部と水平材Ｖのそれとを合わせ、該水平材Ｖの内表面に下側から上記アーム材２０の該表面を当接させるようにして重ね合わされる。この状態で、アーム材２０の一方のフランジに穿設された長穴２０１が鉄塔の主柱材Ｍに水平材Ｖの一端を接合するためのボルトＭＢの位置にくるので、当該ボルトＭＢを一旦外して長穴２０１に挿通させ、当該長穴２０１を介して再度元のボルト穴（不図示）に差し込んで固定する。これにより、このボルトＭＢが、アーム材２０の水平材Ｖに沿った摺動を案内する機能を果たすようになる。
【００３３】
アーム材２０を水平材Ｖに重ね合わせた状態で固定するのに、上記図１および図２に示す各種ボルトやナットなどの固定具を用いる代わりに、固定具３が使用される。この固定具３は、２枚のアングル片３１，３２と、これらのアングル片を締めつけて固定するボルト４２およびナット４１とからなる。２枚のアングル片３１，３２は、フランジの幅が水平材Ｖおよびアーム材２０のフランジのそれよりもそれぞれ大きくされ、各フランジには、その端縁寄りにフランジの幅方向に沿って頂角部を挟んで互いに向き合うように長穴３１ａ，３１ｂ，３２ａ，３２ｂがそれぞれ穿設されている。
【００３４】
アングル片３２の両フランジに穿設された長穴３２ａ、３２ｂとこれらに相対するアングル片３１の長穴３１ａ、３１ｂとに２本のボルト４２，４２をそれぞれ挿通させてアングル片３１の該表面から突出したボルト先端にナット４１，４１をそれぞれ螺合し、締め付けてアングル片３１、３２がアーム材２０および水平材Ｖを挟んだ状態で固定される。
【００３５】
本実施形態では、２個のナット４１をそれぞれ緩めることで、アーム材２０を水平材Ｖの長さ方向に沿って摺動させることができ、これによってアーム材２０の鉄塔から外方に向けた突出長さを調整できる。
【００３６】
図４は、本発明の簡易ブーム装置のさらに別の実施形態の例の鉄塔への取り付け状態を示す図である。この図において、（ａ）は斜視図、（ｂ）は（ａ）におけるＢ−Ｂ矢視図であり、図２および図３と同様に、鉄塔の一部として、主柱材Ｍおよびこれに一端が接合された水平材Ｖ，Ｖが示され、これらの構成材はいずれもアングルである。
【００３７】
本実施形態では、簡易ブーム装置１は、１本の水平材Ｖの上面（水平方向の外表面）に戴置される所定の長さのアーム材２０と、これを水平材Ｖに固定する固定具３とからなる。
【００３８】
アーム材２０は、上記図２および図３の実施形態の場合と同様に１本のアングルであり、一方のフランジの先端寄りには２個のＵボルトＵ、Ｕが取り付けられているが、長穴は設けられていない点で上記実施形態とは異なる。アーム材２０の長さは、上記図２に示す実施形態の場合と同様に決定することができる。このアーム材２０は、一方のフランジの外表面を水平材Ｖの上面に当接するようにして該水平材Ｖの上に戴置される。なお、上側のＵボルトＵには、図２に示す実施形態と同様、１本の牽引索Ｒの一端が連結され、この牽引索Ｒによって鉄塔上方の構成材からアーム材２０が牽引されている。
【００３９】
アーム材２０を水平材Ｖに戴置した状態で固定するのに、固定具３が使用される。この固定具３は、２枚のアングル片３１，３２および１枚の板片３３と、これらの部材を相互に締めつけて固定する各３個のボルト４２およびナット４１とからなる。２枚のアングル片３１，３２は、フランジの幅が水平材Ｖおよびアーム材２０のフランジのそれよりもそれぞれ大きくされ、各フランジには、その端縁寄りにフランジの幅方向に沿って頂角部を挟んで互いに向き合うように長穴３１ａ，３１ｂ，３２ａ，３２ｂがそれぞれ穿設されている。この２個のアングル片のフランジは、図３のそれと同様の大きさのものである。また、板片３３は、略矩形を呈しており、その幅が上記アングル片３１，３２のそれと略同等とされ、その長さがアングル片３１、３２のそれぞれのフランジの外表面側の幅に水平材Ｖおよびアーム材２０の厚さを加えた長さと略同等とされる。この板片３３の長さ方向両端寄りにも長穴が互いに向き合うように穿設されている。
【００４０】
アーム材２０は、その一方のフランジ外表面を該水平材Ｖの上面にそれぞれの頂角部を合わせて重ねられる。アングル片３１および３２をアーム材２０および水平材Ｖの内表面にそれぞれ当接させて挟み込み、アングル片３１、３２の相対する長穴３１ｂ、３２ｂにボルト４２を通し、ナット４１を螺合するとともに、アーム材２０および水平材Ｖの鉛直方向のフランジに鉄塔内から板片３３をあてがい、相対する３１ａおよび３３ａと３２ａおよび３３ｂにそれぞれボルト４２を通してナット４１を羅合することで、アーム材２０を水平材Ｖに固定する。
【００４１】
本実施形態では、３個のナット４１をそれぞれ緩めることで、アーム材２０を水平材Ｖの長さ方向に沿って摺動させることができ、これによってアーム材２０の鉄塔から外方に向けた突出長さを調整できる。
【００４２】
次に、図５を参照して、本発明の簡易ブーム装置１の使用方法について説明する。図５は、図１に示した本発明の簡易ブーム装置１の送電鉄塔Ｔにおける使用状態を示す図である。この送電鉄塔Ｔは、主柱材Ｍ，Ｍ，・・と、該主柱材にそれぞれ両端が接合された水平材Ｖ，Ｖ，・・・と、上下に隣り合う水平材の間に設けられた不図示の斜材とからなる上層部Ｔ１と、主に斜材Ｒ、Ｒ、・・によって構成される下層部（コロビ部）Ｔ２とからなる。
【００４３】
送電鉄塔Ｔの上層部頂上寄りの水平材Ｖには、本発明の簡易ブーム装置１が設置されている。該簡易ブーム装置１の先端寄りには不図示の吊り具（不図示）が設けられ、この吊り具に滑車２が吊り下げられている。滑車２には、昇降索Ｐが巻装されており、この昇降索Ｐが地上に垂下している。図５に示すように、アーム材１１の突出長さを調整して吊り具およびこれに吊り下げられる滑車２を少なくとも鉄塔下部（コロビ部）の最外側の主柱材を除く構成材を通る仮想鉛直線よりも外側に配置することで、工具類収納容器Ｂが構成材に引っかかることがない。その結果、工具類の上げ降ろしを円滑に行えるようになる。
【００４４】
昇降索Ｐの一端には、工具類収納容器Ｂが連結されており、地上作業者ＬＷ１がその他端を操作し、工具類収納容器Ｂは高所作業者ＨＷが待機する作業場所まで引き上げられる。なお、本発明の装置１その先端から鉄塔頂上まで牽引索Ｓ１が張設され、当該装置Ｂを支持している。
【００４５】
一旦作業場所まで引き上げられた工具類収納容器Ｂは、高所作業者ＨＷが手を伸ばすか、または図５に示すように、先端に鉤のついた作業棒１０などを用いて引き寄せることができる。また、本発明の簡易アーム装置１のアーム材に長穴が穿設されている場合には、当該長穴に滑車２を手繰り寄せることで、作業者は上記容器Ｂから工具類を取り出すことができるようになる。
【００４６】
本発明の装置１を使用することにより、工具類収納容器Ｂは鉄塔のコロビにおける構成材に引っかかることはないが、所定の高さにおいて当該容器Ｂを水平方向に移動したり、強風などにより当該容器Ｂが大きく揺動するのを防止するためにこれには粗の下部に案内索Ｈを連結しておくことが好ましい。この場合、案内索Ｈは、工具類収納容器Ｂ自体に直接連結してもよく、昇降索Ｐの工具類収納容器Ｂとの連結部位に連結してもよい。なお、案内索としては、通常、ロープなどが使用される。
【産業上の利用可能性】
【００４７】
本発明の簡易ブーム装置は、鉄塔上での高所作業を行う際の工具や資材の上げ降ろしに有効に使用できる。
【図面の簡単な説明】
【００４８】
【図１】本発明の簡易ブーム装置の実施形態の一例の鉄塔への取り付け状態を示す図である。
【図２】本発明の簡易ブーム装置の別の実施形態の例の鉄塔への取り付け状態を示す図である。
【図３】本発明の簡易ブーム装置の別の実施形態の例の鉄塔への取り付け状態を示す図である。
【図４】本発明の簡易ブーム装置の別の実施形態の例の鉄塔への取り付け状態を示す図である。
【図５】鉄塔Ｔに取り付けられた図１に示す本発明の簡易ブーム装置１を用いた工具などの上げ降ろし状態を示す正面図である。
【図６】従来送電鉄塔上への工具などの上げ下ろし状況を示す正面図である。
【符号の説明】
【００４９】
１      簡易ブーム装置
１１、１２、２０      アーム材
１１１、１２１、２０１    長穴
１３１、２１１    ナット
１３２、２１２    ボルト
１１４、１２４    フックボルト
３    固定具
３１，３２    アングル片
３３    板片
３１ａ、３１ｂ，３２ａ，３２ｂ，３３ａ，３３ｂ    長穴
４１    ナット
４２    ボルト
Ｈ      案内索
ＨＷ      高所作業者
ＬＷ１、ＬＷ２      地上作業者
Ｍ      主柱材
Ｒ      牽引索
ＳＨ      シャックル
Ｔ      送電鉄塔
Ｕ      ユーボルト
Ｖ      水平材
【図１】
2007145509.tif 000003
【図２】
2007145509.tif 000004
【図３】
2007145509.tif 000005
【図４】
2007145509.tif 000006
【図５】
2007145509.tif 000007
【図６】
2007145509.tif 000008